(57)【要約】【課題】容易に水道管に取り付けることのできる埋設ボックス用土砂流入防止板を提供する。【解決手段】埋設ボックス用土砂流入防止板１は、基板部２０において水道管通過用スリット部２２によって分割された第一基板部分割部２０ａと第二基板部分割部２０ｂとのうち、第一基板部分割部２０ａにおける外縁部であって水道管通過用スリット部２２に臨む部位には、一方に傾斜した第一傾斜面３５が形成されている第一水道管案内部３３が設けられており、第二基板部分割部２０ｂにおける外縁部であって水道管通過用スリット部２２に臨む部位には、他方に傾斜した第二傾斜面３６が形成されている第二水道管案内部３４が設けられている。【選択図】図１
2018040138.tif 000002
【特許請求の範囲】
【請求項１】
所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板 であって、
基板部と、
前記基板部に貫通状に形成されており、前記水道管が配置される水道管配置用孔部と、
前記基板部の外縁から前記水道管配置用孔部に至るまで、前記基板部に貫通状に形成された水道管通過用スリット部と、
を具備し、
前記基板部における前記水道管配置用孔部を囲繞する周辺部には、前記周辺部から前記水道管配置用孔部に向かって差し出された舌片部が形成されており、
さらに前記基板部において前記水道管通過用スリット部によって分割されてなる一方の基板部分割部と他方の基板部分割部とのうち、
一方の基板部分割部における外縁部であって前記水道管通過用スリット部に臨む部位には、前記基板部の板厚方向に沿って一方に傾斜した第一の傾斜面が形成されている第一の水道管案内部が設けられており、
他方の基板部分割部における外縁部であって前記水道管通過用スリット部に臨む部位には、前記基板部の板厚方向に沿って他方に傾斜した第二の傾斜面が形成されている第二の水道管案内部が設けられている
ことを特徴とする埋設ボックス用土砂流入防止板。
【請求項２】
前記舌片部は、
前記水道管配置用孔部に前記水道管が配置されていない状態で、前記水道管配置用孔部に向かうに従い前記基板部の板厚方向に沿うように一方へ湾曲しており、
前記水道管通過用スリット部を介して前記水道管配置用孔部に前記水道管が配置された状態で、前記水道管に弾接した状態となる
請求項１に記載の埋設ボックス用土砂流入防止板。
【請求項３】
請求項１又は請求項２に記載の埋設ボックス用土砂流入防止板と、
前記埋設ボックス用土砂流入防止板によって土砂の流入が防止される埋設ボックスと、
を含む
ことを特徴とする埋設ボックスセット。
【請求項４】
請求項１又は請求項２に記載の埋設ボックス用土砂流入防止板の取り付け方法であって、
前記第一の傾斜面と前記第二の傾斜面とを前記水道管の外周面に圧接させながら、前記水道管通過用スリット部に前記水道管を通過させて、前記水道管配置用孔部に前記水道管を配置する工程を含むことを特徴とする埋設ボックス用土砂流入防止板の取り付け方法。
【請求項５】
請求項２に記載の埋設ボックス用土砂流入防止板は、前記舌片部が前記埋設ボックス側へ湾曲しているように配されていることを特徴とする埋設ボックスの土砂流入構造。
【発明の詳細な説明】
【技術分野】
【０００１】
本発明は、量水器あるいは止水栓等の機器が収容される埋設ボックス内に土砂が流入することを防止する埋設ボックス用土砂流入防止板、該埋設ボックス用土砂流入防止板を含む埋設ボックスセット、該埋設ボックス用土砂流入防止板の取り付け方法、及び埋設ボックスの土砂流入防止構造に関する。
【背景技術】
【０００２】
従来から、量水器あるいは止水栓等の機器が収容される埋設ボックスに設けられている水道管挿通用孔部から埋設ボックス内に土砂が流入することを防止する埋設ボックス用土砂流入防止板が種々提案されている。
【０００３】
例えば特許文献１には、水道管の外径に対応する中央透孔を具え且つ埋設ボックスの切欠孔を被う面積を有すると共に切欠孔に対向する土砂の圧力に耐えうる強度と中央透孔より外周縁まで切欠した切欠部とを有する弾性合成樹脂よりなる水道メーター埋設ボックス用カバーが開示されている。
【０００４】
また、特許文献２には、水道管挿通孔から縁辺に切り込みを設けた土留板を設け、この土留板にて筐体および底台の水道管導入部を覆うとともに、固定爪体をこの筐体と底台との係合孔に係合して、筐体と底台を連結した量水器筐が開示されている。
【０００５】
さらに、特許文献３には、合成樹脂製基板部の略中央部に設けた円形孔の周縁から放射状に多数の切溝を設けて適当長さの多数の扇形舌片を形成し、この各扇形舌片に適当間隔で円形孔と同心円状の数条の凹溝を形成した閉塞用当板が開示されている。
【先行技術文献】
【特許文献】
【０００６】
【特許文献１】実公昭４９−３４８３５号公報
【特許文献２】特許第３０４５５９１号公報
【特許文献３】実公昭５４−２６４９０号公報
【発明の概要】
【発明が解決しようとする課題】
【０００７】
しかしながら、特許文献１に開示された水道メーター埋設ボックス用カバー、特許文献２に開示された土留板、及び特許文献３に開示された閉塞用当板にあっては、水道管に取り付ける際に水道管の外周面に外縁部が引っ掛かることがあり、取り付け作業に手間がかかるという問題があった。
【０００８】
そこで本発明は、容易に水道管に取り付けることのできる埋設ボックス用土砂流入防止板を提供することを目的とする。
【０００９】
また本発明は、容易に水道管に取り付けることのできる埋設ボックス用土砂流入防止板を有する埋設ボックスセットを提供することを目的とする。
【００１０】
また本発明は、容易に水道管に取り付けることのできる埋設ボックス用土砂流入防止板の取り付け方法を提供することを目的とする。
【００１１】
また本発明は、埋設ボックス内に土砂が流入することを適正に阻止することができる埋設ボックスの土砂流入防止構造を提供することを目的とする。
【課題を解決するための手段】
【００１２】
本発明は、所定位置に埋設される埋設ボックスに設けられている水道管挿通用孔部に挿通された水道管に取り付けられることで、前記埋設ボックスの外側から前記水道管挿通用孔部を被覆した状態となり、前記水道管挿通用孔部を介して前記埋設ボックス内へ土砂が流入することを防止する埋設ボックス用土砂流入防止板であって、基板部と、前記基板部に貫通状に形成されており、前記水道管が配置される水道管配置用孔部と、前記基板部の外縁から前記水道管配置用孔部に至るまで、前記基板部に貫通状に形成された水道管通過用スリット部と、を具備し、前記基板部における前記水道管配置用孔部を囲繞する周辺部には、前記周辺部から前記水道管配置用孔部に向かって差し出された舌片部が形成されており、さらに前記基板部において前記水道管通過用スリット部によって分割されてなる一方の基板部分割部と他方の基板部分割部とのうち、一方の基板部分割部における外縁部であって前記水道管通過用スリット部に臨む部位には、前記基板部の板厚方向に沿って一方に傾斜した第一の傾斜面が形成されている第一の水道管案内部が設けられており、他方の基板部分割部における外縁部であって前記水道管通過用スリット部に臨む部位には、前記基板部の板厚方向に沿って他方に傾斜した第二の傾斜面が形成されている第二の水道管案内部が設けられていることを特徴とする埋設ボックス用土砂流入防止板である。
【００１３】
かかる構成にあっては、両水道管案内部の傾斜面をそれぞれ水道管の外周面に押し当てながら両基板部分割部を互いに離開する方向に湾曲させることができるため、前記水道管通過用スリット部が円滑に拡開し、前記水道管通過用スリット部に水道管を容易に通過させることが可能となる。このため、基板部の外縁が水道管に引っ掛かってしまうことが抑制されて、埋設ボックス用土砂流入防止板が水道管に取り付け易くなる。
【００１４】
また、前記舌片部は、前記水道管配置用孔部に前記水道管が配置されていない状態で、前記水道管配置用孔部に向かうに従い前記基板部の板厚方向に沿うように一方へ湾曲しており、前記水道管通過用スリット部を介して前記水道管配置用孔部に前記水道管が配置された状態で、前記水道管に弾接した状態となる構成が提案される。
【００１５】
かかる構成にあっては、埋設ボックス用土砂流入防止板を水道管に取り付けた状態で、前記舌片部の先端部が前記水道管の外周面に弾接して押し付けられる状態となり、前記水道管の外周面と舌片部の先端部との間に隙間が生じにくくなる。このため、埋設ボックス内への土砂の流入防止効果が向上する。ここで、前記舌片部の先端部が向く方向と、水道管の管軸方向とがほぼ一致した状態で当該舌片部と当該水道管とが当接するため、舌片部の長さを水道管の外径に厳密に対応させる必要がない。また、かかる構成では、各舌片部の先端部が水道管の外周面に対して適正位置で当接することになるため、水道管に埋設ボックス用土砂流入防止板を取り付けた際に、前記基板部がねじれてしまうことがない。また、上述のように舌片部の長さを調整する必要がないため、外径が異なる多種の水道管に対して１種の埋設ボックス用土砂流入防止板で柔軟に対応することができる。
【００１６】
そして本発明は、前記埋設ボックス用土砂流入防止板と、前記埋設ボックス用土砂流入防止板によって土砂の流入が防止される埋設ボックスと、を含むことを特徴とする埋設ボックスセットである。
【００１７】
かかる構成にあっては、土砂の流入を防止できる埋設ボックスを施工現場で迅速に準備し、そして施工することができる。
【００１８】
また、本発明は、前記埋設ボックス用土砂流入防止板の取り付け方法であって、前記第一の傾斜面と前記第二の傾斜面とを前記水道管の外周面に圧接させながら、前記水道管通過用スリット部に前記水道管を通過させて、前記水道管配置用孔部に前記水道管を配置する工程を含むことを特徴とする埋設ボックス用土砂流入防止板の取り付け方法である。
【００１９】
かかる構成にあっては、前記埋設ボックス用土砂流入防止板を前記水道管に容易に取り付けることができると共に、前記埋設ボックス内へ土砂が流入することを好適に防止することができる。
【００２０】
また、本発明は、前記埋設ボックス用土砂流入防止板は、前記舌片が前記埋設ボックス側へ湾曲しているように配されていることを特徴とする埋設ボックスの土砂流入構造である。
【００２１】
かかる構成にあっては、土砂が前記埋設ボックス内に流入しにくい埋設ボックスの土砂流入防止構造を構築することができる。
【発明の効果】
【００２２】
本発明にかかる埋設ボックス用土砂流入防止板は、水道管に容易に取り付けることができる効果がある。
【００２３】
また、本発明にかかる埋設ボックスセットは、前記埋設ボックス用土砂流入防止板を有する埋設ボックスを提供することができる効果がある。
【００２４】
また、本発明にかかる埋設ボックス用土砂流入防止板の取り付け方法は、水道管に対して埋設ボックス用土砂流入防止板を迅速に取り付けることができる効果がある。
【００２５】
また、本発明にかかる埋設ボックス用土砂流入防止構造は、埋設ボックス内へ土砂が流入することを適正に阻止することができる効果がある。
【図面の簡単な説明】
【００２６】
【図１】実施例１の埋設ボックス用土砂流入防止板を示し、（ａ）は正面図、（ｂ）は右側面図、（ｃ）は背面図である。
【図２】（ａ）は実施例１にかかる埋設ボックス及び水道管を示す斜視図であり、（ｂ）は実施例１にかかる埋設ボックスの土砂流入防止構造を示す斜視図である。
【図３】実施例１にかかる埋設ボックス用土砂流入防止板を水道管に取り付ける過程を示す説明図である。
【図４】実施例１にかかる埋設ボックス用土砂流入防止板を水道管に取り付けたときの舌片部を示す説明図である。
【図５】実施例２の埋設ボックス用土砂流入防止板を示し、（ａ）は正面図、（ｂ）は右側面図、（ｃ）は背面図である。
【図６】実施例２にかかる埋設ボックス用土砂流入防止板を水道管に取り付けたときの弾性舌片部を示す説明図である。
【発明を実施するための形態】
【００２７】
以下、本発明の埋設ボックス用土砂流入防止板、埋設ボックスセット、埋設ボックス用土砂流入防止板の取り付け方法、及び埋設ボックスの土砂流入防止構造を具体化した実施例を詳細に説明する。なお、本発明の埋設ボックス用土砂流入防止板は、下記に示す埋設ボックス用土砂流入防止板１，２に限定されることはなく、適宜設計変更が可能である。
【００２８】
〔実施例１〕
図１に示したように、埋設ボックス用土砂流入防止板１は、平板形状の基板部２０を具備している。本実施例における基板部２０は四角板形状であり、縦長さは１２５ｍｍ、横長さは１１０ｍｍ、及び板厚は２ｍｍである。また、４つの角部は、Ｒ２０の面取りがなされている。
【００２９】
また、基板部２０の略中央部には、内径が１０ｍｍの円形状をなした水道管配置用孔部２１が基板部２０の板厚方向に沿って貫通状に形成されている。また、基板部２０には、当該基板部２０の外縁と水道管配置用孔部２１とを繋ぐ水道管通過用スリット部２２が形成されている。水道管通過用スリット部２２は、基板部２０の板厚方向に沿って貫通状に形成されており、基板部２０の縦辺に沿って筋状に形成されている。なお、水道管通過用スリット部２２のスリット幅は、１ｍｍである。
【００３０】
かかる構成により、基板部２０は、水道管通過用スリット部２２を基準として一側の第一基板部分割部２０ａと、他側の第二基板部分割部２０ｂとに部分的に分割されている。
【００３１】
さらに基板部２０における水道管配置用孔部２１を囲繞する周辺部には、周辺部から水道管配置用孔部２１に向かって差し出された平板状で先細り形状の舌片部２５が水道管配置用孔部２１を中心に放射状に複数（本実施例においては２０個）形成されている。なお、各舌片部２５は、微少な間隔をおいて互いに隣接している。
【００３２】
さらに基板部２０における互いに隣り合う舌片部２５の基端である根本部には、舌片部２５同士の離間距離よりも大きい内径の丸孔形状である切欠部２７が各々貫通状に形成されている。
【００３３】
さらに、第一基板部分割部２０ａの外縁部における水道管通過用スリット部２２に臨む部位には、第一水道管案内部３３が設けられている。かかる第一水道管案内部３３は、基板部２０に対して一側に小さく反り上がるような湾曲形状をなし、反り上がる方向とは逆の方向に向いている面には基板部２０の板厚方向に沿って一方に傾斜した第一傾斜面３５が形成されている。
【００３４】
一方、第二基板部分割部２０ｂの外縁部における水道管通過用スリット部２２に臨む部位には、第二水道管案内部３４が設けられている。かかる第二水道管案内部３４は、基板部２０対して他側に小さく反り上がるような湾曲形状をなし、反り上がる方向とは逆の方向に向いている面には基板部２０の板厚方向に沿って他方に傾斜した第二傾斜面３６が形成されている。
【００３５】
次に、図２〜４に従って、埋設ボックス用土砂流入防止板１の取り付け方法を詳述する。
【００３６】
図２（ａ）に示すように、量水器及び／又は止水栓等の機器が収容される埋設ボックス１５の左右両側面には、各々水道管挿通用孔部１６が設けられており、埋設ボックス１５が所定位置に埋設された状態では、水道管挿通用孔部１６に水道管Ｐが挿通されている。
【００３７】
そして、まず舌片部２５の長さを水道管Ｐの外径にあらかじめ対応させて長さ調整する。その上で、図３に示したように、かかる水道管Ｐの外周面に対して、埋設ボックス用土砂流入防止板１の水道管案内部３３，３４に形成された傾斜面３５，３６を圧接させながら、基板部２０の第一基板部分割部２０ａと第二基板部分割部２０ｂとを水道管Ｐの管軸に沿って互いに離開させて、水道管通過用スリット部２２に水道管Ｐを案内する。次いで、水道管通過用スリット部２２に水道管Ｐを通過させた後、図２（ｂ）に示すように、水道管Ｐを水道管配置用孔部２１に配置する。そして、埋設ボックス用土砂流入防止板１で埋設ボックス１５の外側から水道管挿通用孔部１６を被覆した状態とする。これによって埋設ボックス１５の土砂流入防止構造１０を構築することができる。
【００３８】
このように、埋設ボックス用土砂流入防止板１を水道管Ｐに取り付けた状態では、図４に示すように、舌片部２５の先端が水道管Ｐに当接した状態となっている。したがって、水道管Ｐの周方向において埋設ボックス１５内への土砂の流入が抑制されている。
【００３９】
また、上述のように埋設ボックス用土砂流入防止板１は、各水道管案内部３３，３４の傾斜面３５，３６をそれぞれ水道管Ｐの外周面に押し当てながら基板部分割部２０ａ，２０ｂを互いに異なる方向に湾曲させて離開させることができるため、水道管通過用スリット部２２が円滑に拡開する利点がある。
【００４０】
また、単体の埋設ボックス１５と、所要の数の埋設ボックス用土砂流入防止板１とを１組とした埋設ボックスセットとした場合には、土砂の流入を防止できる埋設ボックス１５を施工現場で迅速に準備し、そして施工することができる。
【００４１】
〔実施例２〕
次に、他の実施例にかかる埋設ボックス用土砂流入防止板２を、図５に従って説明する。
【００４２】
図５に示すように、埋設ボックス用土砂流入防止板２にあっては、基板部２０における水道管配置用孔部２１を囲繞する周辺部に、周辺部から水道管配置用孔部２１に向かって差し出された板状で先細り形状の弾性舌片部４５が水道管配置用孔部２１を中心に放射状に複数（本実施例においては２０個）形成されている。なお、各弾性舌片部４５は、微少な間隔をおいて互いに隣接している。
【００４３】
また、弾性舌片部４５は、先端側に配された水道管配置用孔部２１に向かうに従って基板部２０の板厚方向に沿うように一方へ湾曲している。
【００４４】
かかる構成の埋設ボックス用土砂流入防止板２は、弾性舌片部４５の先端部を埋設ボックス１５の水道管挿通用孔部１６に向けた上で、水道管Ｐで各弾性舌片部４５を弾性変形させて水道管配置用孔部２１を押し広げながら水道管Ｐを水道管配置用孔部２１に配置する。ここで、弾性舌片部２５の先端における水道管配置用孔部２１の最小孔径Ｄ１（図５参照）は、弾性舌片部２５の先端における水道管配置用孔部２１の位置に配される水道管Ｐの外径（図６参照）よりも径小となっている。なお、弾性舌片部２５の先端における水道管配置用孔部２１の最小孔径は、弾性舌片部２５の先端が位置している箇所における水道管配置用孔部２１の内径に相当する。また、弾性舌片部２５の先端における水道管配置用孔部２１の位置に配される水道管Ｐの外径は、水道管Ｐの外径のうち、水道管配置用孔部２１に配置されたときに弾性舌片部２５の先端が位置している箇所の水道管Ｐの外径に相当する。
【００４５】
これによって埋設ボックス１５の土砂流入防止構造１０を構築することができる。なお、埋設ボックス用土砂流入防止板２を水道管Ｐに取り付ける工程で、弾性舌片部２５の長さを水道管Ｐの外径に対応させてあらかじめ長さ調整する必要はない。
【００４６】
このように、埋設ボックス用土砂流入防止板２を水道管Ｐに取り付けた状態では、図６に示すように、弾性舌片部４５が水道管Ｐに弾接した状態となっている。したがって、水道管Ｐの周方向において水道管Ｐの外周面と弾性舌片部４５との間に隙間が生じにくくなっており、埋設ボックス１５内への土砂の流入が抑制されている。なお、弾性舌片部４５の先端部が向く方向と、水道管Ｐの管軸方向とがほぼ一致した状態で当該弾性舌片部４５と当該水道管Ｐとが当接するため、弾性舌片部４５の長さを水道管Ｐの外径に厳密に対応させる必要がない。また、各弾性舌片部４５の先端部が水道管Ｐの外周面に対して各々均一に当接するため、水道管Ｐに埋設ボックス用土砂流入防止板２を取り付けた際に基板部２０がねじれてしまうことがない。
【００４７】
なお、弾性舌片部４５の根本部には、上述のように切欠部２７が形成されているため、弾性舌片部４５が根本部から容易に弾性変形可能となり、せん断応力による根本部の断裂を好適に防止することができる。
【００４８】
なお、これまでに述べた実施例において、各部の寸法形状は適宜自由に設定可能である。
【００４９】
例えば、第一水道管案内部３３及び第二水道管案内部３４は、上述したような湾曲形状である必要はなく、基板部２０に対して一側に小さく反り上がるような屈曲形状をなしていてもよい。
【００５０】
なお、埋設ボックス用土砂流入防止板１，２は、例えば再生ポリプロピレン（Ｒ−ＰＰ）等 のような合成樹脂で構成されていることが望ましい。
【符号の説明】
【００５１】
１，２                埋設ボックス用土砂流入防止板
１０                  埋設ボックスの土砂流入防止構造
１５                  埋設ボックス
１６                  水道管挿通用孔部
２０                  基板部
２０ａ                第一基板部分割部
２０ｂ                第二基板部分割部
２１                  水道管配置用孔部
２２                  水道管通過用スリット部
３３                  第一水道管案内部
３４                  第二水道管案内部
３５                  第一傾斜面
３６                  第二傾斜面
２５                  舌片部
４５                  弾性舌片部（舌片部）
Ｐ                    水道管
【図１】
2018040138.tif 000003
【図２】
2018040138.tif 000004
【図３】
2018040138.tif 000005
【図４】
2018040138.tif 000006
【図５】
2018040138.tif 000007
【図６】
2018040138.tif 000008